(57)【要約】      （修正有）【課題】ガートルスタンド等の支柱のハンガー等に吊り下げられた輸液容器を固定する輸液容器固定具であって、支柱のサイズを問わず使用でき、かつ容易に固定が可能な輸液容器固定具を提供する。【解決手段】輸液容器固定具の輸液容器保持部および支柱保持部に、弾性体の弾性力による物体挟持機能を有する挟持腕５を備えた挟持部２を有し、さらに容器保持部および支柱保持部の少なくともどちらか一方の挟持部２の略基端には、弾性力に逆らって握り方向の力を加えることにより保持部を広げることができ、握る力を取り除くと弾性力により保持部が閉じて保持する物を挟持することができる挟持腕開放手段７を備える。【選択図】図１
2005192747.tif 000002
【特許請求の範囲】
【請求項１】
輸液容器の口部を挟持する輸液容器保持部と、輸液容器を吊り下げる支柱を挟持する支柱保持部を備える輸液容器固定具において、
輸液容器保持部および支柱保持部に、弾性体の弾性力による物体挟持機能を有する挟持腕を備えた挟持部を有し、さらに輸液容器保持部および支柱保持部の少なくともどちらか一方の挟持部の略基端には、弾性力に逆らって握り方向の力を加えることにより保持部を広げることができ、握る力を取り除くと弾性力により保持部が閉じて保持する物を挟持することができる挟持腕開放手段、を有することを特徴とする輸液容器固定具。
【請求項２】
挟持開放手段に指によって容易に握ることができる握り部を備えていることを特徴とする請求項１記載の輸液容器固定具。
【請求項３】
樹脂の一体成型によって作成されてなる請求項１もしくは請求項２記載の輸液容器固定具。
【請求項４】
容器保持部及び支柱保持部の物体保持のための弾性力を得るために、輸液容器固定具を弾性樹脂の一体成型とした請求項３に記載の輸液容器固定具。
【請求項５】
挟持腕の先端に挟持案内部を備えたことを特徴とする請求項１〜４のいずれかに記載の輸液容器固定具。
【請求項６】
挟持腕が湾曲している請求項１〜５のいずれかに記載の輸液容器固定具。
【請求項７】
挟持腕に、突出部を備えることを特徴とする請求項１〜６のいずれかに記載の輸液容器固定具。
【請求項８】
つまみの握り部の形状が、外側に向かって湾曲していることを特徴とする請求項１〜７のいずれかに記載の輸液容器固定具。
【発明の詳細な説明】
【技術分野】
【０００１】
本発明は、輸液容器固定具に関する。さらに詳しくはガートルスタンド等に吊り下げられた輸液容器を固定する固定具に関する。
【背景技術】
【０００２】
従来から、病院や診療所等において、患者に栄養や薬液を投与する為に輸液療法が行われている。投与される輸液はガラス瓶や、合成樹脂からなる輸液容器に収容されている。この、輸液容器には少なくとも一端にゴム栓等が嵌入された口部が設けられている。輸液療法は、上記輸液を内包した輸液容器と輸液容器内部の薬液等を患者に導くための輸液セット及び患者の体内と輸液セットを連通する為の注射針等によって構成される医療用具が使用されて実施される。輸液セットは、少なくとも薬液容器の口部に刺入する為の導入針と患者の体内と連通した注射針等と連結するためのコネクターと導入針とコネクターと連結する柔軟性を備えたチューブより構成されている。また、輸液量を正確に把握し、確実に輸液を行うために、輸液セット途中に輸液ポンプを用いた輸液療法も行われている。
【０００３】
しかしながら、輸液療法を行っている時の輸液容器は、ガートルスタンドと呼ばれる支柱に取り付けられたハンガーに吊るされた状態で輸液セットが接続され、次いでその輸液セットにより患者に接続される状態となる。輸液療法によっては、輸液を行う時間も長時間となり、輸液容器の重量も２ｋｇ以上になることもあり、それに伴い輸液容器自身の大きさも大きくなることもある。すなわち、ただガートルスタンドのハンガーに輸液容器を吊り下げただけでは、ただぶら下がっているだけなので、重心が偏りやすく、また、用便等の為にガートルスタンドごと患者が移動する場合には、さらに重心の偏りが大きくなり、ガートルスタンドが転倒する危険性もある。また、患者が移動する際に、輸液容器が大きく揺れ、輸液容器の口部に刺入した輸液セットの導入針が抜け落ちる危険性も高い。輸液容器に刺入した輸液セットの導入針が抜け落ちると、導入針が細菌に汚染されたり、導入針から輸液セット内に空気が進入し、その空気が患者に進入されてしまう等の患者にとって極めて危険な状態が生じえた。
【０００４】
上述の様な問題を回避するために輸液容器の先端部とガートルスタンドを固定する輸液セット固定具が考案されている。（たとえば特許文献１）
【特許文献１】実開平４−５００４９号公報
【発明の開示】
【発明が解決しようとする課題】
【０００５】
しかしながら、上記輸液セット固定具は、支柱保持部及び容器保持部によって挟持出来る大きさが限定されており、特に市販されている、様々な寸法を持つガートルスタンド等の柱に適用させ使用する為には、それらに適応するサイズの輸液セット固定具を使い分ける必要がある。また、輸液セット固定具の取り付けは、輸液容器及び支柱を輸液セット固定具の保持部に差し込むことで行うので、特に挟持させる輸液容器の先端部および／または支柱のサイズが輸液セット固定具の保持部よりも大きい場合に、無理やり輸液容器の先端部および／または支柱に輸液セット固定具を差し込むのは困難であり、さらにその大きさによっては、輸液セット固定具が破損する可能性がある。また、逆に通常状態の輸液セット固定具の保持部よりも輸液容器の先端部および／または支柱のサイズが小さい場合には、それらを挟持することが出来ず、よって、固定が出来ないので輸液セット固定具としての役割を果たさないことがおこり得る。
【０００６】
本発明は上述したような事情を鑑みてなされたもので、ガートルスタンド等の支柱のハンガー等に吊り下げられた輸液容器を固定する輸液容器固定具であって、支柱のサイズを問わず使用でき、かつ容易に固定が可能な輸液容器固定具を提供するものである。
【課題を解決するための手段】
【０００７】
即ち本発明は、
（１）輸液容器の口部を挟持する輸液容器保持部と、輸液容器を吊り下げる支柱を挟持する支柱保持部を備える輸液容器固定具において、
輸液容器保持部および支柱保持部に、弾性体の弾性力による物体挟持機能を有する挟持腕を備えた挟持部を有し、さらに輸液容器保持部および支柱保持部の少なくともどちらか一方の挟持部の略基端には、弾性力に逆らって握り方向の力を加えることにより保持部を広げることができ、握る力を取り除くと弾性力により保持部が閉じて保持する物を挟持することができる挟持腕開放手段、を有することを特徴とする輸液容器固定具及び、
（２）挟持開放手段に指によって容易に握ることができる握り部を備えていることを特徴とする前記（１）記載の輸液容器固定具及び、
（３）樹脂の一体成型によって作成されてなる前記（１）もしくは（２）記載の輸液容器固定具及び、
（４）容器保持部及び支柱保持部の弾性力を得るために、輸液容器固定具を弾性樹脂の一体成型とした前記（３）のいずれかに記載の輸液容器固定具及び、
（５）挟持腕の先端に挟持案内部を備えたことを特徴とする前記（１）〜（４）のいずれかに記載の輸液容器固定具及び、
（６）挟持腕が湾曲している、前記(１)〜（５）のいずれかに記載の輸液容器固定具及び、
（７）挟持腕に、突出部を備えることを特徴とする前記（１）〜（６）のいずれかに記載の輸液容器固定具及び、
（８）つまみの握る部の形状が外側に向かって湾曲していることを特徴とする前記（１）〜（７）のいずれかに記載の輸液容器固定具である。
【発明の効果】
【０００８】
本発明によると、輸液容器保持部および支柱保持部の挟持部の少なくともどちらか一方の基端に備えた挟持腕開放手段に、握り方向の力を加えることによって輸液容器挟持部及び支柱挟持部の挟持腕を広げることができるので、多様なサイズの輸液容器及び支柱に使用することができる。また、挟持腕開放手段により、挟持部の挟持腕を大きく広げることが容易に出来るので、挟持する物体を容易に取り付けることが出来る。また、握る力を取り除くと保持部の弾性力により挟持腕が閉じられるので、保持する物を挟持でき、確実に固定することが出来る。また、容器保持部及び支柱保持部及び保持部を広げるためのつまみを一体成型で作成することにより、コストも低く抑えることが出来、作成も容易となる。
さらに、輸液容器固定具の材質に弾性樹脂を用いることによって、さらに容易に目的とする輸液容器固定具を作成することが出来る。
【発明を実施するための最良の形態】
【０００９】
図１及び図２は本発明の輸液容器固定具の一実施例を示した図である。図３は図１の側面図を示す。本実施例による輸液容器固定具は、容器保持側Ａと支柱保持側Ｂが一体化構造のものである。以下、図１の輸液容器保持側Ａを参照しながら特徴の説明を行う。以下の特徴は、輸液容器保持側Ａ若しくは支柱保持側Ｂの少なくともどちらか一方に備えていればよいが、両方に備えていることが好ましい。
図１に示すように、本実施例による輸液容器固定具は挟持部２を有している。挟持部２は挟持腕５、挟持案内部６、突出部４を備えている。また、挟持部２はその基端に、挟持部２が開く際の支点３を有し、その支点３と挟持腕５の間には挟持腕５を広げる際に用いる挟持腕開放手段７を備えている。挟持腕開放手段７の末端には指を保持する握り部１を備えていてもよい。
そして、図２に示すように、握り部１同士を近づけるようにつまむことで、握り部１が備えられた挟持腕開放手段７によって、支点３を基点として挟持腕５が広がり、その広がった挟持腕５の間に、輸液容器の首部８が入るように設置し、握り部を握る力を取り除くことで、挟持腕５は閉じて、その間にある輸液容器を挟持し固定する。
【００１０】
図１及び図２に示すように、支点３部分に窪み３Ａを持たせることにより、より柔軟に挟持部を開くことが可能となり好ましい。
【００１１】
本本発明の輸液容器固定具に使用される材質は、弾力性を備えているものが好ましく、ＰＰ(ポリプロピレン)やＰＥ(ポリエチレン)が使用可能であるが、特に曲げ弾性の点でＰＰであることが好ましい。
【００１２】
また挟持腕５を外側に向かって湾曲させることにより、挟持する輸液容器を確実に固定することが出来る。さらに、挟持腕の先端に外側に広がるような挟持案内部６を備えることにより、挟持部の広がりが少ない場合でも容易に柱や輸液容器を挟持腕内に導入する事が可能となり好ましい。
【００１３】
また、挟持腕５の先端部分、または、挟持腕５の先端部分に挟持案内部６を備える場合はその略基端部分付近に、突出部４を設けることにより、挟持したものが挟持した状態から外れる危険性を低減することが出来る。この突出部４の形状は特に限定されず、挟持された物体が外れるのを抑えるような形状であれば良い。図２に示すように本実施例においては略半円の断面を持つ形状のものとした。
【００１４】
さらに、握り部１の形状としては、親指及び人差し指を用いて作業することが多くなると考えられるので、親指の腹の形状に合わせて、若干外向きに湾曲させることによって、挟持部を広げる際の作業が容易になり好ましい。
【００１５】
また、挟持腕開放手段７の長さは挟持腕５が閉じた状態で、容易に親指と人差し指によってつまめる程度の幅であることが好ましい。短すぎると、つまみを握っても挟持部の広がりが小さく満足な開放状態を得ることができないので、好ましくなく、長すぎるとつまみ同士の感覚が広くなりすぎて、手でつまみ難くなるので好ましくない。
さらに、挟持腕開放手段７の取り付け位置は、支点３と挟持部２の先端の間で、支点３よりにあることが好ましい。しかしながら、支点３に近すぎると、挟持部２を開くための力が大きくなりすぎ好ましくなく、支点３から離れすぎると、挟持部２を開くために必要とする力は小さくてすむが、必要とする挟持部２の開き具合を得るためには、挟持腕開放手段７の長さが長くなり好ましくない。
【図面の簡単な説明】
【００１６】
【図１】通常時の本発明の一実施例を示す平面図である。
【図２】握り部を握った状態の本発明の一実施例を示す平面図である。
【図３】図１の側面図である。
【符号の説明】
【００１７】
１・・・握り部
２・・・挟持部
３・・・支点
４・・・突出部
５・・・挟持腕
６・・・挟持案内部
７・・・挟持腕開放手段
８・・・輸液容器首部の仮想線
９・・・支柱の仮想線
【図１】
2005192747.tif 000003
【図２】
2005192747.tif 000004
【図３】
2005192747.tif 000005